(57)【要約】      （修正有）【課題】かなり大きい面積又は大きさの患者組織又は器官に直接接触させて、拡大された線量分布を患者体内の前記場所に対して設定できる固体ブラキセラピーアプリケータ及び、それを使用して動物体内において放射線治療を実施するためのシステムと方法を提供すること。【解決手段】互いに間隔を隔てた陰極２２及び陽極１５を収容する真空空所と、前記陰極から自由電子を放出するための放出手段と、使用中に前記放出自由電子を前記陽極に向かって加速するために前記陰極と前記陽極の間に高電圧電界を印加するための電界手段とを有し、前記真空空所は、互いに間隔を隔てた第１及び第２板状要素によって区画され、前記第１板状要素を陰極として、前記第２板状要素１５、２５を陽極として使用する。【選択図】図４
2005111252.tif 000002
【特許請求の範囲】
【請求項１】
少なくとも、互いに間隔を隔てた陰極及び陽極を収容する真空空所と、前記陰極から自由電子を放出するための放出手段と、使用中に前記放出自由電子を前記陽極に向かって加速するために前記陰極と前記陽極の間に高電圧電界を印加するための電界手段とからなるＸ線放出面を有し、前記真空空所は少なくとも部分的に前記陽極の放出するＸ線放射線を透過させる、動物体内において放射線治療を実施するための固体ブラキセラピーアプリケータにおいて、前記真空空所は、互いに間隔を隔てた第１及び第２板状要素によって区画され、前記第１板状要素が陰極として、前記第２板状要素が陽極として使用されることを特徴とする固体ブラキセラピーアプリケータ。
【請求項２】
前記第１及び第２板状要素の間には高絶縁性材料のスペーサが存在することを特徴とする請求項１に記載の固体ブラキセラピーアプリケータ。
【請求項３】
ゲッター材が前記第２板状要素の存在しない側の前記第１板状要素の表面に設けられることを特徴とする請求項１または２に記載の固体ブラキセラピーアプリケータ。
【請求項４】
前記第１板状要素は、前記ゲッター材を前記真空空所に露出する少なくとも１つの開口を備えることを特徴とする請求項３に記載の固体ブラキセラピーアプリケータ。
【請求項５】
前記真空空所は複合空間形状に形成されることを特徴とする請求項１ないし４のいずれか１項に記載の固体ブラキセラピーアプリケータ。
【請求項６】
前記固体ブラキセラピーアプリケータは動物体内の目標場所に向かって挿入される誘導ワイヤの遠位端に接続されることを特徴とする請求項５に記載の固体ブラキセラピーアプリケータ。
【請求項７】
陰極となる前記第１板状要素は、強誘電性電子放出材料又はカーボンナノチューブを含有するゲート電界放出型であることを特徴とする請求項１ないし６のいずれか１項に記載の固体ブラキセラピーアプリケータ。
【請求項８】
前記強誘電性電子放出材料は下部電極と上部電極の間に配置され、両電極は駆動電圧に接続されることを特徴とする請求項７に記載の固体ブラキセラピーアプリケータ。
【請求項９】
前記下部電極は幾つかの電極セグメントから構成され、前記電極のセグメントは互いに電気的に絶縁され、それぞれ別個に前記駆動電圧に接続されることを特徴とする請求項８に記載の固体ブラキセラピーアプリケータ。
【請求項１０】
前記下部電極の前記電極セグメントは、１つのマルチプレクサ経由でそれぞれ別個に前記駆動電圧に接続されることを特徴とする請求項９に記載の固体ブラキセラピーアプリケータ。
【請求項１１】
前記上部電極は、放出された自由電子のための放出孔となる多数の開口を備えた導電性シートとして構成されることを特徴とする請求項８ないし１０のいずれか１項に記載の固体ブラキセラピーアプリケータ。
【請求項１２】
前記開口は、円形、正方形、六角形などの多角形の形状を有することを特徴とする請求項１１に記載の固体ブラキセラピーアプリケータ。
【請求項１３】
前記上部電極は、多数の円盤状要素が部分的に強誘電性電子放出材料上に固定された少なくとも１つの導電性フレームとして構成されることを特徴とする請求項８ないし１２のいずれか１項に記載の固体ブラキセラピーアプリケータ。
【請求項１４】
少なくとも請求項１ないし１３のいずれか１項に記載の固体ブラキセラピーアプリケータを使用して動物体内における放射線治療を事前計画するための線量計画装置と、事前計画された治療法に応じて前記固体ブラキセラピーアプリケータを駆動するための制御手段と、前記固体ブラキセラピーアプリケータの発生する実際の放射線線量分布を測定するために前記動物体内の前記固体ブラキセラピーアプリケータ近傍に位置決めされた１つ以上の放射線検知器とを有し、事前計画された治療パラメータに線量を適合させるためにフィードバック情報を前記制御手段に伝達するように構成される動物体内において放射線治療を実施するための放射線治療システム。
【請求項１５】
請求項１４に記載の放射線治療システムと請求項１ないし１４の１つ以上に記載の固体ブラキセラピーアプリケータとを用いて動物体内において放射線治療を実施するための方法。
【発明の詳細な説明】
【技術分野】
【０００１】
本発明は、少なくとも、互いに間隔を隔てた陰極及び陽極を収容する真空空所と、前記陰極から自由電子を放出するための放出手段と、使用中に前記放出自由電子を前記陽極に向かって加速するために前記陰極と前記陽極の間に高電圧電界を印加するための電界手段とからなるＸ線放出面を有し、前記真空空所は少なくとも部分的に前記陽極の放出するＸ線放射線を透過させる、動物体内において放射線治療を実施するための固体ブラキセラピーアプリケータに関する。
本発明は医療用Ｘ線の発生に関する。
本発明は、更に、本発明による固体ブラキセラピーアプリケータを使用して動物体内において放射線治療を実施するための放射線治療システムに関する。
【背景技術】
【０００２】
放射線治療は、癌を含む幾つかの疾患の治療に関して確立された方法である。Ｘ線源装置の推定有用性は明白である。装置を血管又は他の体腔内に挿入すると、送り込んだ放射線量を小組織領域に託すことが可能となる。
【０００３】
上記序文に記載のＸ線源装置は、例えば、米国特許第６４７７２３３  Ｂ１号明細書とは区別される。この特許公報には、互いに間隔を隔てた陰極及び陽極を収容する真空空所を有するＸ線源装置の一実施例が開示されている。
【０００４】
真空空所は、Ｘ線源装置の適当な動作に必要な好ましい真空水準まで排気される。更に、公知のＸ線源装置は、陽極と陰極の間に高電圧電界を設定するための電界手段を備える。前記陰極から放出された電子は、前記設定された高電圧電界によって加速され、高運動エネルギーをもって前記陽極材に衝突する。陽極材では、高エネルギー水準のＸ線放射線が生じる。
【０００５】
真空空所はＸ線放射線を完全に高水準に透過させるので、前記生じた放射線は、Ｘ線源装置が挿入された患者の組織に向かって真空空所を出ることができる。Ｘ線源装置から出た発生Ｘ線放射線は高エネルギー水準を示すので、Ｘ線放射線は、例えば、癌性腫瘍の治療のために前記患者体内で放射線治療を実施するのに非常に好適である。
【発明の開示】
【発明が解決しようとする課題】
【０００６】
この公知のＸ線源装置は患者体内の癌性腫瘍を治療するのには非常に適しているが、主として、カテーテルチューブを介して患者体内に導入されることを予定したものである。更に、その小さな寸法のために、線源装置は球形線量分布をもつ点状のＸ線放射線源と見なしうるものであった。
【課題を解決するための手段】
【０００７】
本発明によれば、前記真空空所は、互いに間隔を隔てた第１及び第２板状要素によって区画され、前記第１板状要素が陰極として、前記第２板状要素が陽極として使用される。この板状真空装置は、その拡大された表面積のため、かなり大きい面積又は大きさの患者組織又は器官に直接接触させることができるので、拡大された線量分布を患者体内の前記場所に対して設定することができる。
【０００８】
なお、本発明によるＸ線源装置は、装置の厚さ（陽極と陰極の間の空間）よりも実質上大きい縦方向寸法（長さ及び幅）を示す。
【０００９】
かなり大きい表面積に亘って陽極と陰極の間の距離を等しく維持するために、前記第１及び第２板状要素の間には高絶縁性材料のスペーサが存在する。
【００１０】
前記陰極から放出された自由電子を陽極に向かって効率的に加速するのを確実にするために、真空空所内にはかなり低い真空水準が必要とされる。かなり低い真空水準は、前記真空空所に尚存在する気体分子のガス放電を防止したり、前記真空空所内に電弧が形成されるのを回避したりするためにも必要である。更に、組立体の完全破壊も起こりうる。
【００１１】
このため、具体的な一実施例では、ゲッター材が前記第２板状要素の存在しない側の前記第１板状要素の表面に設けられる。ゲッター材は、真空空所内に尚存在する浮遊気体分子と反応、結合する。こうして、ゲッターは浮遊気体分子を排除して、真空空所内の真空水準の質を１０−７乃至１０−８Ｔｏｒｒにまで改善する。
【００１２】
より具体的には、前記第１板状要素は、前記ゲッター材を前記真空空所に露出する少なくとも１つの開口を備える。より具体的には、前記第１板状要素は、セグメントからなる。したがって、ゲッター材は、陽極と陰極の間に電界が存在しないセグメント間の位置に搭載される。ゲッターが表面アーク放電や破壊に関する如何なる内部電気問題も引き起こすことのないように、ゲッター材を電気的に絶縁する本質的に電界の存在しない場所が必要となる。この構成によって、浮遊気体分子は一層捕獲され、真空空所内の真空水準を改善することができる。
【００１３】
本発明による前記Ｘ線源装置の好適な実施例は、前記真空空所が球、半球、円筒又は板などの複合空間形状に形成されることを特徴とする。
【００１４】
更に好適な実施例では、Ｘ線源装置は動物体内の前記目標場所に向かって挿入される誘導ワイヤの遠位端に接続される。
【００１５】
本発明の具体的な一実施例では、陰極となる前記第１板状要素は、強誘電性電子放出セラミック（ＰＺＴ、ＰＬＺＴ）材料又はナノチューブなどのゲート電界放出型である。
【００１６】
強誘電性電子放出陰極を使用する場合、強誘電性電子放出材料は下部電極と上部電極の間に配置され、両電極は駆動電圧に接続される。
【００１７】
より好適な実施例では、前記下部電極（陰極）は幾つかの電極セグメントから構成され、前記電極のセグメントは互いに電気的に絶縁され、それぞれ別個に前記駆動電圧に接続される。本実施例では、各セグメントの駆動電圧は個別に作動及び切断可能なので、陰極から陽極へ向かう電子束は高度な方法で制御でき、陽極の放出するより多目的な放射線量分布が特定の放射線治療に適合したものとして発生可能となる。
【００１８】
これらの特徴をもつＸ線源装置は、より多目的な利用が可能である。例えば、具体的な一実施例では、前記下部電極の前記電極セグメントが１つのマルチプレクサ経由でそれぞれ別個に前記駆動電圧に接続される。
【００１９】
前記マルチプレクサ経由でＸ線源装置の高度な電子制御が可能となり、特定の放射線治療を実施するために計画された特定の線量分布をもつＸ線放射線を生成することができる。
【００２０】
上部電極は、放出自由電子のための放出面として使用される多数の小円開口又は線条を備えた導電性シートとして構成され、前記開口は、円形、正方形、六角形などの多角形の形状を有する。一般的には、陰極要素は異なる形状をもち、陽極の放出する放射線の線量分布の形状に重大な影響を与え得る。
【００２１】
別の実施例では、前記上部電極は、多数の円盤状要素が強誘電性電子放出材料上に固定された少なくとも１つの導電性フレームとして構成される。陰極がカーボンナノチューブからなる場合、カーボンナノチューブは陰極のセグメント表面に固定される。
【００２２】
本発明は、また、少なくとも、本発明によるＸ線源装置を使用して動物体内における放射線治療を事前計画するための線量計画装置と、事前計画された治療法に応じて前記Ｘ線源装置を駆動するための制御手段と、前記Ｘ線源装置の発生する実際の放射線線量分布を測定するために前記動物体内の線源装置近傍に位置決めされた１つ以上の放射線検知器とを有し、事前計画された治療パラメータに線量を適合させるためにフィードバック情報を前記制御手段に伝達するように構成される動物体内において放射線治療を実施するための放射線治療システムにも関する。
【発明を実施するための最良の形態】
【００２３】
ここで図面を参照して本発明を説明する。
【００２４】
図１は、従来技術によって開示された公知のＸ線源装置の縦断面図を示す。従来技術のＸ線源装置１０は、絶縁部材１６ａ〜１６ｂ経由で相互接続されたベース１１ａ及びカバー１０ｂを有する。ベース要素１１ａは、Ｓｉ又は他の半導体材料、ガラス、セラミック材料又は金属から構成することができ、内部に凹部１３が形成される。
【００２５】
空所１７は、前記ベース要素１１ａと前記カバー要素１１ｂの間に形成される。カバーは、例えば、Ｓｉ又は他の半導体材料、ガラス、セラミック材料又は金属、から構成することもできるし、また金属・半導体の組合せから構成することもできる。空所１７は排気される。
【００２６】
凹部１３内には薄膜陰極１２が配置される一方、カバー１１ｂの内面には陽極材１５が設けられる。陰極材１２は、従来技術で既に公知である技術を用いて電子が自由化される電子放出材からなる。
【００２７】
図１には示されていないが、一般的に、従来技術による公知のＸ線源装置は、更に、陽極１５と陰極１２の間に高電圧電界を設定するための手段を備える。このため、陽極材１５は、高電圧源（図示せず）に接続した電源線に接続される。
【００２８】
前記陰極材１２から自由化された電子は、前記高電圧電界によって加速され、陽極材１５に激突する。電子の高速化によって、特定のＸ線放射線が陽極材内に発生する。カバー１１はＸ線放射線を高度に透過する材料で製造されるので、Ｘ線放射線は、Ｘ線源装置が埋め込まれた患者の組織に向かって真空空所１７から出ていくことになる。
【００２９】
本発明によるＸ線源装置の好適な一実施例では、陰極は、陽極と陰極の間に高電圧電界を発生するために印加される加速用高電圧とは無関係に、より正確に電子流を制御できる強誘電性放射源を備えたゲート電界放出型である。
【００３０】
図２Ａでは、前記強誘電性電子放出材４３が下部電極４１と上部電極４２の間に配置され、両電極が前記放出手段に接続される。組立体は全体として支持体又は基板４０によって支持可能である。
【００３１】
陰極２２の上下電極４１、４２間に制御された電圧差を印加することによって、強誘電材４３から陽極２５に向かう電子電流は変調又は完全に遮断可能となる。セラミック陰極に印加される駆動電圧は、強誘電材の状態、即ち、その結晶相及び肉厚に依存する。強誘電材から電子を自由化するための駆動電圧は、陰極層の肉厚が減少するに従って減少する。更に、駆動電圧の大きさは、電子放出領域の大きさ、即ち、駆動電極上の全電子放出サイズに大きく依存する。
【００３２】
強誘電材４３からの電子の自由放出を更に制御し改善するために、前記上部電極４２は、多数の開口３１を備えた導電性シートとして構成される。これらの開口３１は、放出された自由電子の放出孔となる。図２Ｂは、このような特徴をもつ前記具体的な実施例を示す。
【００３３】
図２Ｃは本特徴をもつ別の実施例を示し、ここでは、前記上部電極４２は、多数の円盤状要素４４が前記強誘電性電子放出材４３（３１）に固定された導電性フレーム４２ａとして構成される。露出した強誘電材４３（図２Ｃでは参照番号３１で示す）は電子を放出可能である。
【００３４】
図３は、本発明によるＸ線源装置の第１実施例を示す。本発明では、前記真空空所１７は、互いに間隔を隔てた第１及び第２板状要素２２及び１５、２５によって区画され、前記第１板状要素２２が陰極として、前記第２板状要素１５、２５が陽極として使用される。参照番号２５は前記第２板状要素を示し、参照番号１５は前記第２板状要素上に配置された１層の陽極材を示す。
【００３５】
従って、本発明のＸ線源装置は、長さ及び幅が厚さよりも実質上大きな寸法をもつ板状構成を呈する。
【００３６】
図５に例示した実施例では、Ｘ線源装置は小さい外法寸法であるが拡大放射線放出面を有する円筒として成形される。本実施例は、カテーテルを通して挿入されるワイヤの遠位端に接続するのに非常に適している。しかしながら、半球形又は板状のＸ線源装置のように他の空間形状も可能である。
【００３７】
半球形板状Ｘ線源装置として成形する場合、陽極１５は空間形状の外面あるいは内面に配置可能である。第１実施例では、Ｘ線源装置は、患者の体腔内に設置して、Ｘ線源装置の空間形状に一致した線量分布をもつＸ線放射線でＸ線源装置の周囲の前記体腔の組織を均等に治療するのに適当である。
【００３８】
図３に戻って、第１及び第２板状要素２２及び２５は、幾つかのスペーサ２８を用いて互いに隔てられる。このようにすれば、大きい表面積のものであっても、全体に均一な肉厚をもつ真空空所１７を得ることができる。陰極の放出する自由電子の加速化を目的に陽極と陰極の間に高電界を設定するため、陽極、陰極の双方が高電圧電源に接続される。
【００３９】
図２及び３に示すような陰極２２を製造する第１の方法は、金ペーストの使用による。金ペーストは、印刷法を用いて基板４０（図２）上に形成される。その後、この金層は、下部電極層４１を形成するために所定時間薄層（図３では参照番号３９）を用いて可塑化される。
【００４０】
下部電極層４１が完成すると、印刷法を用いてＰＺＴ又はＰＬＺＴのペーストを数十マイクロメータの厚さに塗布し、可塑化して強誘電性電子放出層４３を形成する。最後に印刷法を用いて複数の微細放出孔３１を有する上部電極４２が形成される。上部電極４２を再度可塑化し、図２Ａ、２Ｂ及び３に示すような所望の陰極体２２を得る。
【００４１】
例えば、スパッタリングなど、印刷法以外の方法も使用可能である。
【００４２】
別の製造方法では、マスクを用いて強誘電性電子放出層４３上に上部電極４２を金蒸着し、間に５０μｍの距離を置きながら直径５０μｍのアイランド４４を複数個形成して図２Ｃの実施例を得る。
【００４３】
板状陽極支持体２５の材料としては、アルミナ、ベリリウム、あるいは窒化硼素が使用可能である。陽極材１５は、多様な技術で形成可能であるが、好ましくは、電着で形成する。しかしながら、レーザー蒸着、化学蒸着、物理蒸着など他の技術を利用してもよく、それらの技術は従来技術において公知である。陽極材１５を支持体２５上に形成した後、陽極ハウジング組立体は浄化及び熱処理を受ける。
【００４４】
典型的には、組立体１５−２５は蒸留水で洗浄される。組立体は１０−５〜１０−７ミリバールの真空で熱処理してよい。真空炉内での熱処理は、１５〜３０分間８００℃の温度で実行してよい。熱処理によって陽極材１５の陽極組立体２５への接着力は増加し、気体のうち残留水素をハウジングから除去してその固有抵抗を増加する。
【００４５】
透過性に関する厳しい要求を考慮すると、緻密焼結された低隙率アルミナが陽極材１５の支持体２５には最良選択の１つとなる。アルミナは、Ｘ線管では普通材料として使用されるタングステンとも熱膨張の点で適合性がある。
【００４６】
陽極組立体１５−２５及び陰極組立体２２は、インジウム、チタン、銅及び銀を異なる割合で有する適当な鑞付け合金（Ｔｉｃｕｓｉｌ、Ｉｎｃｕｓｉｌ、１５  ＡＢＡ及びＩｎｃｕｓｉｌ−ＡＢＡ）によって共に固定される。スペーサ２８を含む全ての構成要素は、１時間５００℃で焼成され、引き続き一緒にプレスされる（図２の２つの矢印を参照）が、定着のためには８３０℃まで温度を上げなければならない。構造体内部の真空１７は、その後、Ｘ線組立体を真空ポンプに接続して遂行される。
【００４７】
本発明によるＸ線源装置の具体的な一実施例が図４に示される。同一部品は同一参照番号で示される。
【００４８】
前記第２板状要素２５の存在しない側の前記第１板状要素２２の面上、つまり第１下部電極４１上は、ゲッター材２６が設置される。より詳細には、前記第１下部電極４１には、前記ゲッター材２６を前記真空空所１７に露出させる少なくとも１つの開口２９を備える。これらの特徴には幾つかの利点がある。
【００４９】
陽極の存在しない側の陰極セグメント間にゲッター材を配置すると、前記ゲッター材は陽極２５と陰極２２の間に設定された電界内に搭載されない。その代わり電界が存在しない場所に搭載される。ゲッター材２６が表面アーク放電や破壊に関する如何なる内部電気問題も引き起こすことのないように、本質的に電界の存在しないゲッター材の場所が必要とされる。
【００５０】
前記ゲッター材２６を前記真空空所１７に露出させる少なくとも１つの開口の存在によって、ゲッター材は、真空空所１７内に尚存在するどの浮遊気体分子とも反応、結合可能となる。こうして、ゲッター材２６は浮遊気体分子を排除して、真空空所１７内の真空水準の質を１０−７乃至１０−８Ｔｏｒｒにまで改善する。
【００５１】
また、本発明による板状Ｘ線源装置の他の具体的な特徴は、図４に示される。図４において、本実施例では下部電極４１及び上部電極４２は、直交する行５０及び列５１の行列で各板状電極４１〜４２を分割する幾つかの電極セグメント５３から構成される。各電極４１〜４２のセグメント５３は、隔離線条又はバリア５２によって互いに電気的に絶縁される。更にまた、セグメント５３の各行５０及び各列５１は、接続４５、４６を介してマルチプレクサＭＵＸ６０（図６参照）経由で駆動電圧２７ａ〜２７ｂに個別に接続される。
【００５２】
マルチプレクサ６０を用いれば、特定の制御可能な方法で行接続４５の１つ及び列接続４６の１つを介して対応セグメント５３間に電圧差を印加することができる。これによって、陰極２２の特定の部分を作動して、陽極２５に作用する特定の自由電子束を発生することが可能となる。この構成によって、実行すべき放射線治療に応じた特定の放射線分布を発生することができる。
【００５３】
接続４５、４６の行列状配置を介して下部及び上部電極４１〜４２のセグメント５３に制御された電圧を印加することによって、作動陰極セグメント５３から陽極１５に向かって放出された電子電流（自由電子束）は制限したり変調したり、また完全に遮断することさえ可能となる。
【００５４】
陰極組立体２２に印加される駆動電圧は、使用する強誘電材の状態、即ち、その結晶相及び肉厚に依存する。駆動電圧は、強誘電性層４３の肉厚が減少するに従って減少する。更に、駆動電圧の大きさは、電子放出領域又はセグメントの大きさ、即ち、図２Ｂ及び２Ｃに示すような電子放出孔３１又はアイランド４４の大きさに大きく依存する。
【００５５】
図６は本発明の別の実施例を示す。図６は、本出願で図示説明したようなＸ線源装置６７の一実施例を用いて動物体６６に放射線治療を実施するための放射線治療システムを示す。
【００５６】
本実施例では、本発明による板状Ｘ線源装置は、複合空間形状を呈し、患者６６の体腔６６ａ内に設置される。前記体腔は、例えば、手術によって作られた空間であり、これによって１回の手術中に一時的に放射線治療を行うことができる。
【００５７】
陽極１５は板状Ｘ線源装置６７の外表面上に配置される。本治療用途では、Ｘ線源装置６７の周囲の体腔６６ａの組織は陽極１５の放出するＸ線放射線を被爆する。
【００５８】
陰極２２は、図２〜４に示すような強誘電性電子放出材を含有するゲート電界放出型であり、マルチプレクサＭＵＸ６０及び電気接続２７ａ〜２７ｂ及び４５〜４６を介して高電圧電源６１に接続される。図４を参照しながら説明したように、ＭＵＸ６０は第１下部電極４１及び第２上部電極４２の対応セグメント間に電圧差を印加して、自由電子束を特定構成をもつ陽極１５に向けて発生する。
【００５９】
自由電子は陽極１５に作用して、装置６７の周囲の体腔６６ａの組織に向けてＸ線放射線を発生する。
【００６０】
ＭＵＸ６０（及び強誘電性陰極）は制御手段６２によって制御される。制御手段６２は治療計画システム６３によって順に駆動される。治療計画システム６３には、前記患者６６のために事前計画された放射線治療法が記憶される。この治療法には、線量分布や滞留時間（被爆時間）などは勿論、治療が実施されるべき患者の内部器官に関する情報（画像情報）なども含まれる。
【００６１】
適当な接続６５ａ’−６５ｃ’経由で前記治療計画システム６３に接続した幾つかの放射線センサ６５ａ−６５ｃがＸ線源装置６７のＸ線放射線放出陽極１５の周囲の患者体腔６６ａ内に設置される。これらのセンサは、陽極１５の放出する放射線量を測定し、測定信号を生成する。測定信号は、接続６５ａ’−６５ｃ’経由で前記治療計画システム６３に供給される。これらの放射線測定値はフィードバック情報として利用され、これらの実際の放射線測定値は治療計画システム６３に存在する事前計画治療法と比較される。この比較に基づいて、治療計画システム６３は、放射線センサ６５ａ−６５ｃの測定する実際の線量分布が治療計画システム６３の事前計画した線量分布に適合するまで、制御手段６２経由でＭＵＸ６０を制御する。
【００６２】
事前計画線量分布と現実に投与している線量分布とのより正確な比較を得るためにもっと多くの放射線センサが使用できるということは明白であろう。
【図面の簡単な説明】
【００６３】
【図１】従来技術によるＸ線源装置を示す図である。
【図２Ａ】本発明によるＸ線源装置の特定の特徴を更に詳細に示す図である。
【図２Ｂ】本発明によるＸ線源装置の特定の特徴を更に詳細に示す図である。
【図２Ｃ】本発明によるＸ線源装置の特定の特徴を更に詳細に示す図である。
【図３】本発明のＸ線源装置の更なる実施例を示す図である。
【図４】本発明のＸ線源装置の更なる実施例を示す図である。
【図５】本発明のＸ線源装置の更なる実施例を示す図である。
【図６】本発明のＸ線源装置を使用して放射線治療を実施するための放射線治療システムを示す図である。
【図１】
2005111252.tif 000003
【図２Ａ】
2005111252.tif 000004
【図２Ｂ】
2005111252.tif 000005
【図２Ｃ】
2005111252.tif 000006
【図３】
2005111252.tif 000007
【図４】
2005111252.tif 000008
【図５】
2005111252.tif 000009
【図６】
2005111252.tif 000010
【外国語明細書】
2005111252.tif 000011
2005111252.tif 000012
2005111252.tif 000013
2005111252.tif 000014
2005111252.tif 000015
2005111252.tif 000016
2005111252.tif 000017
2005111252.tif 000018
2005111252.tif 000019
2005111252.tif 000020
2005111252.tif 000021
2005111252.tif 000022
2005111252.tif 000023
2005111252.tif 000024
2005111252.tif 000025
2005111252.tif 000026
2005111252.tif 000027
2005111252.tif 000028
2005111252.tif 000029
2005111252.tif 000030
2005111252.tif 000031
2005111252.tif 000032
2005111252.tif 000033
2005111252.tif 000034